(57)【特許請求の範囲】
【請求項１】
対物レンズを有するアクチュエータと、このアクチュエータを保持する基台と、前記アクチュエータをスキュー調整可能に前記基台に常時押し付けるスキュー調整手段とを備え、
このスキュー調整手段を構成する引張ばねは、前記基台に穿設されて段部を形成したばね用孔に挿入配置され、
前記引張ばねの一方側係止部は前記段部に係止され、前記引張ばねの他方側係止部は前記アクチュエータの被係止部に係止されて、前記アクチュエータを前記基台側に付勢しており、
前記ばね用孔は、同心の小径孔と大径孔とで構成され、前記基台に前記対物レンズの光軸とほぼ平行に貫通形成されて境界部に前記段部を形成してあり、
前記引張ばねは、小径部と、一部が前記小径孔の内径より大きい外径を有する大径部と、前記小径部に設けられた前記他方側係止部とで構成され、
前記引張ばねを前記ばね用孔に挿着したとき、前記小径部は前記小径孔を貫通し、前記大径部は、前記大径孔に配置されるとともに前記段部に係止されて前記一方側係止部を構成していることを特徴とする光ピックアップ。
【請求項２】
前記引張ばねの前記大径部は、その中心軸線が前記小径部の中心軸線に対してほぼ直角になるように形成されていることを特徴とする請求項１に記載の光ピックアップ。
【請求項３】
前記引張ばねの前記大径部は、その中心軸線が前記小径部の中心軸線とほぼ平行になるように形成されていることを特徴とする請求項１に記載の光ピックアップ。
【請求項４】
前記引張ばねの前記大径部の外径は、少なくとも前記小径孔の内径よりは大きく、前記大径孔の内径とほぼ等しい大きさに形成されていることを特徴とする請求項１，２または３に記載の光ピックアップ。
【請求項５】
前記大径部と前記他方側係止部は、ほぼ円弧状または多角形状に形成されていることを特徴とする請求項１ないし４のいずれかの項に記載の光ピックアップ。
【発明の詳細な説明】
【０００１】
【発明の属する技術分野】
本発明は、光ディスクの記録面上に対物レンズで光を集光させて情報の記録，再生などを行う光ピックアップにかかり、特に、対物レンズをスキュー調整（傾き調整）可能な光ピックアップに関する。
【０００２】
【従来の技術】
光ピックアップは、光ディスク再生装置および光ディスク記録再生装置など光ディスク装置に使用されるものであり、記録媒体である光ディスクの記録面上に光たとえばレーザー光を集光させて、情報の記録，再生などを行うための装置である。
このように、光ピックアップは、光ディスクの記録面にレーザー光を照射する機能を有しているので、レーザー光に対する対物レンズの角度が適正に調整されていないと、光学的収差が生じて信号レベルの低下などの不都合を生じる。
そこで、光ピックアップを製造する際には、対物レンズが取付けられたアクチュエータを動かして、レーザー光に対する対物レンズの角度を高い精度で適正に調整するスキュー調整作業が行われる。
【０００３】
図９は従来の光ピックアップの断面図、図１０は他の従来の光ピックアップの断面図である。
図９に示す光ピックアップ１０１は、対物レンズを有するアクチュエータ１０２と、アクチュエータ１０２を保持する基台１０３と、アクチュエータ１０２をスキュー調整可能に基台１０３に常時押し付けるスキュー調整手段１０４とを備えている。そして、スキュー調整手段１０４により、アクチュエータ１０２は基台１０３側に付勢されている。
スキュー調整手段１０４は、基台１０３に設けられた圧縮ばね１０５と、圧縮ばね１０５を支持してアクチュエータ１０２にねじ込まれたねじ部材１０６とを有している。そして、圧縮ばね１０５のばね力により、アクチュエータ１０２を基台１０３側に付勢している。
【０００４】
【発明が解決しようとする課題】
しかしながら、このスキュー調整手段１０４では、圧縮ばね１０５のほかにねじ部材１０６も必要なので、部品点数が多くなり、これらの部品の組み込み作業も煩雑であった。また、緩み防止のためにねじ部材１０６をロックする作業も必要であった。
【０００５】
一方、図１０に示す光ピックアップ１０１ａは、対物レンズを有するアクチュエータ１０２ａと、アクチュエータ１０２ａを保持する基台１０３ａと、アクチュエータ１０２ａをスキュー調整可能に基台１０３ａに常時押し付けるスキュー調整手段１０４ａとを備えている。そして、スキュー調整手段１０４ａにより、アクチュエータ１０２ａは基台１０３ａ側に付勢されている。
スキュー調整手段１０４ａは、引張ばね１０５ａを有している。引張ばね１０５ａは、アクチュエータ１０２ａの被係止部１０７ａと、基台１０３ａに突出形成された被係止部１０８ａとに係止されて、アクチュエータ１０２ａを基台１０３ａ側に付勢している。
しかしながら、このスキュー調整手段１０４ａでは、部品点数は少なくてすむが、基台１０３ａに被係止部１０８ａを突出形成する必要がある。その結果、基台１０３ａを成形するための金型が複雑化するので、この金型の製作とそのメンテナンスが困難であった。
また、基台１０３ａ内の狭いスペースで、引張ばね１０５ａを被係止部１０８ａに係止させる作業が面倒であった。
合成樹脂などにより一体的に形成されている基台１０３ａの被係止部１０８ａの変形や破損を防止して、光ピックアップ１０１ａの信頼性を向上させるためには、被係止部１０８ａやその取付け部などの強度を向上させたり、基台１０３ａを強度の高い材質のものに変えたり、引張ばね１０５ａのばね力の大きさに制限を設けるなど、各種の配慮が必要であった。
【０００６】
さらに他の従来技術として、スキュー調整手段に板ばねを使用し、この板ばねでアクチュエータを基台側に付勢する光ピックアップも知られている。しかし、このタイプのスキュー調整手段では、部品点数が多くなりがちでその組み込み作業も煩雑であった。
【０００７】
本発明は、このような課題を解決するためになされたもので、アクチュエータを保持する基台を成形するための金型を容易に製作することができ、スキュー調整手段の部品点数を少なくし、その組み込み作業を簡略化できる信頼性の高い光ピックアップを提供することを目的とする。
【０００８】
【課題を解決するための手段】
上述の目的を達成するため、本発明にかかる光ピックアップは、対物レンズを有するアクチュエータと、このアクチュエータを保持する基台と、前記アクチュエータをスキュー調整可能に前記基台に常時押し付けるスキュー調整手段とを備え、このスキュー調整手段を構成する引張ばねは、前記基台に穿設されて段部を形成したばね用孔に挿入配置され、前記引張ばねの一方側係止部は前記段部に係止され、前記引張ばねの他方側係止部は前記アクチュエータの被係止部に係止されて、前記アクチュエータを前記基台側に付勢しており、前記ばね用孔は、同心の小径孔と大径孔とで構成され、前記基台に前記対物レンズの光軸とほぼ平行に貫通形成されて境界部に前記段部を形成してあり、前記引張ばねは、小径部と、一部が前記小径孔の内径より大きい外径を有する大径部と、前記小径部に設けられた前記他方側係止部とで構成され、前記引張ばねを前記ばね用孔に挿着したとき、前記小径部は前記小径孔を貫通し、前記大径部は、前記大径孔に配置されるとともに前記段部に係止されて前記一方側係止部を構成している。
前記引張ばねの前記大径部は、その中心軸線が前記小径部の中心軸線に対してほぼ直角になるように形成されるか、または、前記大径部の中心軸線が前記小径部の中心軸線とほぼ平行になるように形成されているのが好ましい。
また、前記引張ばねの前記大径部の外径は、少なくとも前記小径孔の内径よりは大きく、前記大径孔の内径とほぼ等しい大きさに形成されているのが好ましい。
そして、前記一方側係止部を構成する前記大径部と前記他方側係止部は、ほぼ円弧状または多角形状に形成されているのが好ましい。
【０００９】
【発明の実施の形態】
以下、本発明にかかる実施の形態の一例を、図１ないし図８を参照して説明する。
図１ないし図５は本発明の一実施形態を示す図である。図１，図２は、それぞれ光ピックアップの斜視図，平面図、図３は図２のIII−III線断面図、図４は図２のIV−IV線断面図、図５は前記光ピックアップに設けられる引張ばねの斜視図である。
図１ないし図４において、光ディスク装置（図示せず）に使用される光ピックアップ１は、移動機構（図示せず）により、記録媒体である光ディスクＤの半径方向に制御されつつ移動可能になっている。
光ディスク装置において、光ディスクＤが駆動モータにより回転駆動されている状態で、移動機構で所望の位置に光ピックアップ１を移動させる。そして、光ピックアップ１は、光（ここでは、レーザー光）を対物レンズ２で光ディスクＤの記録面上に集光させて、光ディスクＤに対して情報の記録，再生などを行う。光ディスクＤとしては、ＣＤ，ＣＤ−ＲＯＭ，ＣＤ−Ｒ，ＣＤ−ＲＷ，ＭＤ，ＭＯ，ＤＶＤ−ＲＯＭ，ＤＶＤ−ＲＡＭ，ＤＶＤ−Ｒ，ＤＶＤ−ＲＷなどがある。
【００１０】
光ピックアップ１は、対物レンズ２を有するアクチュエータ３と、アクチュエータ３を保持する基台４と、アクチュエータ３をスキュー調整可能に基台４に常時押し付けるスキュー調整手段５とを備えている。
アクチュエータ３は、基台４の上面７側に配置され、光ディスクＤに対向するようになっている。光ピックアップ１は、基台４の上にアクチュエータ３が載った「二階建て構造」をなしている。光ピックアップ１には、レーザー光を放射するための光学系６が設けられている。
基台４は、合成樹脂などにより一体的に形成されている。アクチュエータ３は、光学系６から放射された光束（レーザー光の光束）を光ディスクＤの記録面上に集光させる対物レンズ２を有している。アクチュエータ３は、光束に対する対物レンズ２の傾きを変更可能に（すなわち、スキュー調整可能に）、基台４に保持されている。
なお、説明の便宜上、対物レンズ２の光軸Ｂと平行な方向（フォーカス方向。すなわち、光ディスクＤに垂直な方向）をＸ方向とする。Ｘ方向に直交し且つトラッキング方向（光ディスクＤの半径方向）をＺ方向とし、Ｘ方向，Ｚ方向に直交する方向をＹ方向とする。
【００１１】
本実施形態（後述する変形例も含む）では、対物レンズ２がアクチュエータ３のほぼ中央部に配置された「レンズセンタータイプ」の光ピックアップ１の場合を示している。なお、本発明は、対物レンズがアクチュエータの外側に配置された「レンズオフセットタイプ」の光ピックアップにも適用可能である。
スキュー調整手段５を構成するとともにアクチュエータ３を基台４側に付勢する付勢部材として、引張ばね１０が使用されている。なお、付勢部材は、アクチュエータ３を基台４側に付勢するものであれば、引張ばね以外の弾性部材であってもよい。
引張ばね１０は、基台４に穿設されて段部１５を形成した付勢部材用孔としてのばね用孔１６に挿入配置されている。引張ばね１０の一方側係止部１７は段部１５に係止され、引張ばね１０の他方側係止部１８は、アクチュエータ３の被係止部１９に係止されて、アクチュエータ３を基台４側に付勢している。
【００１２】
スキュー調整手段５は、引張ばね１０の他に、第１のスキュー調整部２１と第２のスキュー調整部２２を有している。引張ばね１０，第１のスキュー調整部２１および第２のスキュー調整部２２は、平面視でアクチュエータ３の周囲の所定位置に配置されている。これにより、アクチュエータ３は、スキュー調整可能に合計三個所で基台４に保持されるとともに、引張ばね１０により基台４に常時押し付けられている。
第１のスキュー調整部２１は、光ディスクＤの記録面に対して直交し且つ光ディスクＤの半径方向（ラジアル方向）の面内（Ｘ，Ｚ面内）で、矢印Ｃに示すように、光軸Ｂの傾きを調整（スキュー調整）することができる。
第２のスキュー調整部２２は、光ディスクＤの記録面に対して直交し且つトラックの接線方向（タンジェンシャル方向）の面内（Ｘ，Ｙ面内）で、矢印Ｅに示すように、光軸Ｂの傾きを調整（スキュー調整）することができる。
第１のスキュー調整部２１および第２のスキュー調整部２２では、おねじ３１を基台４の貫通孔を通してアクチュエータ３のアクチュエータベース２６にねじ込むことにより、スキュー調整が行われる。第１，第２のスキュー調整部２１，２２で対物レンズ２をスキュー調整する作業は、光ピックアップ１の製造工程において行われる。
【００１３】
アクチュエータ３は、対物レンズ２を保持しているレンズ保持部２３と、レンズ保持部２３を支持する支持ワイヤ２４と、支持ワイヤ２４を支持するワイヤ支持部材２５と、ワイヤ支持部材２５などが取付けられたアクチュエータベース２６と、フォーカスコイルやトラッキングコイルなどを有して対物レンズ２の傾きを制御するチルト機構８と、その他の部材とを有している。
アクチュエータベース２６は板状部材により一体的に形成されており、ワイヤ支持部材２５のほかにヨーク，永久磁石なども、アクチュエータベース２６に取付けられている。
アクチュエータベース２６の下部には、外周面が凸状の球面状に形成された球座部２７が、一体的に突出形成されている。基台４には、内周面が凹状の球面状で球座部２７とほぼ同心の球座受け部２８が形成されている。
アクチュエータベース２６の球座部２７は、基台４の球座受け部２８に摺接可能に係合している。球座部２７が、球座受け部２８に対して対物レンズ２の光軸Ｂをほぼ中心にして摺動するので、アクチュエータ３は、揺動して基台４に対して角度を変えることができ、基台４にスキュー調整可能に保持される。
【００１４】
光学系６は、レーザー光を発生する半導体レーザーなど光源と、光検出器と、反射ミラー，レンズ，回折格子など各種光学部品とを有している。光検出器は、光ディスクＤの記録面で反射したレーザー光を受光して、再生信号を検出するとともに、光ディスクＤの記録面の傾きを検出し、フォーカスエラー信号，トラッキングエラー信号なども出力する。
光学系６を構成するほとんどの光学部品と光学系光路は、基台４の内部スペース２９と基台４の下面３０側に配置される。対物レンズ２はアクチュエータ３に取付けられているが、この対物レンズ２も光学系６を構成している。
光ディスク装置の使用中に、光ピックアップ１の状態（対物レンズ２の位置，姿勢など）を制御する場合には、光検出器で検出された光ディスクＤの記録面の傾きに関する検出結果を、変換部で電気信号に変換して、制御部に電気信号として出力する。
制御部は、この電気信号に基づいて、チルト機構８のフォーカスコイルやトラッキングコイルなどに流す電流を制御する。すると、レンズ保持部２３と対物レンズ２などは、その位置が制御されてフォーカス方向，トラッキング方向に移動し、これにより、対物レンズ２のチルト調整が自動的に行われる。
【００１５】
次に、スキュー調整手段５の引張ばね１０およびばね用孔１６などについて説明する。
図４，図５に示すように、ばね用孔１６は、同心の小径孔３５と大径孔３６とで構成され、基台４に対物レンズ２の光軸Ｂとほぼ平行に貫通形成されている。ばね用孔１６は、中心軸線ＣＬを有する断面円形に形成されている。
小径孔３５は、アクチュエータ３側に配置され、基台４の上面７に開口している。大径孔３６は、アクチュエータ３の配置位置とは反対側に配置され、基台４の下面３０に開口している。
大径孔３６を小径孔３５に連通して形成することにより、両方の孔３６，３５の境界部に段部１５が形成される。段部１５は、ばね用孔１６の中心軸線ＣＬとほぼ直角な方向の段部面を有している。なお、段部１５の段部面は、中心軸線ＣＬに対して斜めに形成されたテーパ状の面であってもよい。
【００１６】
アクチュエータ３の被係止部１９は、アクチュエータベース２６に一体的に突出形成されている。被係止部１９は、ばね用孔１６の直上方に配置されており、その先端部は上方に折曲形成されている。
これにより、引張ばね１０の他方側係止部１８は、被係止部１９に一旦係止されると、被係止部１９から離脱する恐れはない。
【００１７】
引張ばね１０は、小径部４０と、大径部４１と、小径部４０に設けられた他方側係止部１８とで構成されている。小径部４０は、小径孔３５を貫通するように小径孔３５の内径より小さい（好ましくは、若干小さい）巻径で巻回されている。他方側係止部１８は、小径部４０の上側先端部を上方に折り曲げて形成してある。
大径部４１は、小径部４０に連続して形成されて大径孔３６に挿入配置されるとともに、一部が小径孔３５の内径より大きい外径を有している。大径部４１の外径は、少なくとも小径孔３５の内径よりは大きく、大径孔３６の内径とほぼ等しい大きさに形成されている。
引張ばね１０をばね用孔１６に挿着したとき、小径部４０は小径孔３５を貫通し、大径部４１は、大径孔３６に配置されるとともに段部１５に係止されて一方側係止部１７を構成している。
大径部４１は、小径部４０に対してほぼ直角に形成されている。すなわち、大径部４１の中心軸線と小径部４０の中心軸線が、ほぼ直角である。引張ばね１０をばね用孔１６に挿着するときに、大径部４１を指などで持って基台４の下面３０側から容易に挿着することができ、組立作業性がよい。
引張ばね１０において、大径部４１と他方側係止部１８は、ほぼ円弧状をなしているので、引張ばね１０を容易に製造できる点で好ましい。
【００１８】
次に、アクチュエータ３を基台４に組み込む手順について説明する。
アクチュエータ３を基台４上に載置して、アクチュエータ３の球座部２７を基台４の球座受け部２８に密着させる。次に、第１のスキュー調整部２１と第２のスキュー調整部２２において、それぞれおねじ３１を基台４の貫通孔に挿通するとともに、アクチュエータベース２６にねじ込む。
一方、引張ばね１０をばね用孔１６に挿着する。この場合、引張ばね１０を、基台４の下面３０側から上面７側方向に挿入することになる。引張ばね１０の小径部４０の巻径は小径孔３５より小さいので、小径部４０は大径孔３６および小径孔３５を貫通し、小径部４０の先端に形成された他方側係止部１８は上面７より外方に突出する。上方を向いている他方側係止部１８を、アクチュエータ３の被係止部１９に係止させる。
【００１９】
一方、引張ばね１０の大径部４１は、大径孔３６に挿入配置される。このとき、大径部４１は、その外径を小径孔３５の内径より大きくしてあるので、小径孔３５に侵入することなく段部１５に係止されて、一方側係止部１７としての機能を発揮する。
したがって、引張ばね１０は、その大径部４１（一方側係止部１７）が段部１５に係止され、他方側係止部１８が被係止部１９に係止され、ばね力に抗して引っ張られた状態で、ばね用孔１６内に位置決め保持される。これにより、アクチュエータ３は、引張ばね１０のばね力で基台４側に付勢された状態で、基台４に常時押し付けられる。
次に、光学系６から放射されたレーザー光の光束が、対物レンズ２の光軸Ｂと一致するように（すなわち、光学系６から放射された光束の中心軸線に対して、対物レンズ２が直角に配置されるように）、第１，第２のスキュー調整部２１，２２の各おねじ３１を調整することにより、対物レンズ２をスキュー調整する。
このようにして、対物レンズ２をスキュー調整することにより、レーザー光に対する対物レンズ２の角度が適正に調整されるので、光束と光軸Ｂを精度良く一致させることができる。
こうして組み立てられた光ピックアップ１では、レーザー光が対物レンズ２を通るときに光学的収差が生じることがなく、信号レベルの低下を防止することができる。
【００２０】
光ピックアップ１が取付けられた光ディスク装置において、光ディスクＤが駆動モータにより回転駆動されている状態で、移動機構で所望の位置に光ピックアップ１を移動させる。
そして、光学系６で発生したレーザー光を、対物レンズ２で光ディスクＤの記録面上に集光させて、光ディスクＤに対して情報の記録，再生などを行う。このとき、対物レンズ２のチルト調整はチルト機構８により自動的に行われる。
【００２１】
図６ないし図８は本実施形態の変形例を示す図である。
図６は光ピックアップ１ａの断面図で図４相当図、図７は、図６に示す光ピックアップ１ａに設けられる引張ばね１０ａの斜視図、図８は、他の変形例にかかる引張ばね１０ｂの斜視図である。
なお、図６ないし図８に示す変形例において、図１ないし図５に示す本実施形態と同一または相当部分には同一符号を付してその説明を省略し、異なる部分のみ説明する。
【００２２】
図６，図７に示す引張ばね１０ａでは、この引張ばね１０ａに設けられた大径部４１ａは、その中心軸線（巻き軸）が小径部４０の中心軸線（巻き軸）とほぼ平行になるように形成されている。すなわち、大径部４１ａの中心軸線は小径部４０の中心軸線からやや偏心して形成されているが、前記「平行」には、両方の中心軸線がほぼ一致する同心の場合も含む。
光ピックアップ１ａは、アクチュエータ３，基台４およびスキュー調整手段５ａを備えている。スキュー調整手段５ａは、アクチュエータ３をスキュー調整可能に基台４に常時押し付けている。
付勢部材としての引張ばね１０ａは、スキュー調整手段５ａを構成し、アクチュエータ３を基台４側に付勢している。引張ばね１０ａは、基台４に穿設され段部１５を有するばね用孔１６に挿入配置されている。
引張ばね１０ａの一方側係止部としての大径部４１ａは段部１５に係止され、引張ばね１０ａの他方側係止部１８は、アクチュエータ３の被係止部１９に係止されている。
光ピックアップ１ａのばね用孔１６は、図４に示すばね用孔１６と比較して、大径孔３６の軸線方向寸法Ｇが小さくなっているが、他の構成は図４に示すばね用孔１６と同じである。
【００２３】
引張ばね１０ａは、小径部４０と、一部が小径孔３５の内径より大きい外径を有する大径部４１ａと、小径部４０に設けられた他方側係止部１８とで構成されている。
大径部４１ａは、小径部４０と連続し、大径孔３６に挿入配置されるとともに段部１５に係止されるようになっている。大径部４１ａと他方側係止部１８は、ほぼ円弧状なので容易に製造できる点で好ましい。
引張ばね１０ａをばね用孔１６に挿着したとき、小径部４０は小径孔３５を貫通し、大径部４１ａは、大径孔３６に配置されるとともに段部１５に係止されて一方側係止部１７を構成している。
大径部４１ａは、その中心軸線が小径部４０の中心軸線とほぼ平行になるように形成されているので、大径孔３６の軸線方向寸法Ｇが小さくても、大径部４１ａは大径孔３６内に挿入配置される。その結果、基台４の厚みＴを薄くすることができ、光ピックアップ１ａ全体をコンパクトにすることができる。
【００２４】
本発明における付勢部材は、図８に示すような形状の引張ばね１０ｂであってもよい。この引張ばね１０ｂでは、一方側係止部としての大径部４１ｂと他方側係止部１８ｂは、それぞれほぼ三角形に形成されているが、これ以外の多角形状に形成された場合であってもよい。
この引張ばね１０ｂも、図１ないし図５に示す本実施形態と同じ作用効果を奏する。なお、大径部４１ｂを小径部４０とほぼ同心に形成すれば、図６，図７に示す変形例と同じ作用効果を奏する。
【００２５】
図１ないし図８で説明したように、本発明の光ピックアップ１，１ａでは、引張ばね１０，１０ａ，１０ｂを基台４側に係止するための構成を簡素にすることができる。すなわち、引張ばね１０，１０ａ，１０ｂを挿着するためのばね用孔１６に段部１５を設けることにより、この段部１５に引張ばね１０，１０ａ，１０ｂの大径部４１，４１ａ，４１ｂを係止することができる。
その結果、引張ばね１０，１０ａ，１０ｂを基台４側に係止するための被係止部（図１０の被係止部１０８ａなど）を基台に突出形成する必要がないので、基台４を成形するための金型の構成が簡略化して、この金型を容易に製作することができ、金型のメンテナンスも容易である。
【００２６】
引張ばね１０，１０ａ，１０ｂのみでアクチュエータ３を基台４に押し付けているので、スキュー調整手段５，５ａの部品点数を少なくすることができ、且つ、引張ばねの組み込み作業を簡略化することができる。
引張ばね１０，１０ａ，１０ｂの大径部４１，４１ａ，４１ｂを、ばね用孔１６に形成された簡素な構成の段部１５で係止しているので、段部１５の破損，変形などの恐れはない。
したがって、基台の材質の変更や被係止部の強度の向上などの配慮は不要である。また、光ピックアップ１，１ａの組立作業時，光ディスク装置の振動時，および長期間の使用時などでも、スキュー調整手段５，５ａはアクチュエータ３を基台４に常時所定のばね力で押し付けることができ、光ピックアップ１，１ａの信頼性を向上させることができる。
特に、光ディスク装置が自動車に搭載されて、光ピックアップ１，１ａが激しく振動しても、引張ばね１０，１０ａ，１０ｂは、段部１５により強固に係止されているので、光ピックアップ１，１ａは高い信頼性を発揮する。
従来と比較して、ばね力の大きな引張ばね１０，１０ａ，１０ｂを使用することができる。引張ばね１０，１０ａ，１０ｂは、市販品を使用することができるので、コストが低減する。
【００２７】
引張ばね１０，１０ａ，１０ｂをばね用孔１６に挿着し、他方側係止部１８をアクチュエータ３に設けた被係止部１９に係止させれば、大径部４１，４１ａ，４１ｂは段部１５に必然的に係止される。
したがって、引張ばね１０，１０ａ，１０ｂを基台４に係止させるためのねじなどの特別な部材やその取付けに伴う取付け工程を省略できるので、組み立て作業が簡単になり、コストも低減できる。
なお、一方側係止部と他方側係止部を有する付勢部材の全体が一体的に形成された場合を示したが、一方側係止部と他方側係止部をそれぞれ別部品として付勢部材に取付けた場合でもよい。
【００２８】
以上、本発明の実施形態（変形例を含む）を説明したが、本発明は、上述の実施形態に限定されるものではなく、本発明の要旨の範囲で種々の変形，付加などが可能である。
なお、各図中同一符号は同一または相当部分を示す。
【００２９】
【発明の効果】
本発明は上述のように構成したので、アクチュエータを保持する基台を成形するための金型を容易に製作することができ、スキュー調整手段の部品点数を少なくし、その組み込み作業を簡略化でき、光ピックアップの信頼性を高めることができる。
【図面の簡単な説明】
【図１】図１ないし図５は本発明の実施形態の一例を示す図で、図１は光ピックアップの斜視図である。
【図２】前記光ピックアップの平面図である。
【図３】図２のIII−III線断面図である。
【図４】図２のIV−IV線断面図である。
【図５】引張ばねの斜視図である。
【図６】図６ないし図８は本実施形態の変形例を示す図である。図６は光ピックアップの断面図で図４相当図である。
【図７】図６に示す光ピックアップに設けられる引張ばねの斜視図である。
【図８】他の変形例にかかる引張ばねの斜視図である。
【図９】従来の光ピックアップの断面図で図４相当図である。
【図１０】他の従来の光ピックアップの断面図で図４相当図である。
【符号の説明】
１，１ａ  光ピックアップ
２        対物レンズ
３        アクチュエータ
４        基台
５，５ａ  スキュー調整手段
１０，１０ａ，１０ｂ    引張ばね（付勢部材）
１５      段部
１６      ばね用孔（付勢部材用孔）
１７      一方側係止部
１８，１８ｂ    他方側係止部
１９      被係止部
３５      小径孔
３６      大径孔
４０      小径部
４１，４１ａ，４１ｂ    大径部（一方側係止部）
Ｂ        光軸
【図１】
0003716983.tif 000002
【図２】
0003716983.tif 000003
【図３】
0003716983.tif 000004
【図４】
0003716983.tif 000005
【図５】
0003716983.tif 000006
【図６】
0003716983.tif 000007
【図７】
0003716983.tif 000008
【図８】
0003716983.tif 000009
【図９】
0003716983.tif 000010
【図１０】
0003716983.tif 000011